(57)【特許請求の範囲】
【請求項１】
座標入力装置の座標を検出する電子ペンまたは、座標入力装置に座標データを入力する電子ペンにおいて、該電子ペンを構成する軸筒内に筆記のための筆記体を有する電子ペンであって、前記筆記体外側面を弾性を有する挟着部材にて、挟着保持させることにより、筆記体の脱落を防止すると共に、前記挟着部材にて挟着保持し、軸筒の外側面に前記挟着部材を拡開させるコマ部を、前記軸筒内に設け、このコマ部に接続されているスライダを、軸筒側面に配置し、該スライダの移動により、筆記体の挟着を開放することにより、筆記体を脱離可能としたことを特徴とする電子ペン。
【発明の詳細な説明】
【技術分野】
【０００１】
本発明は、軸筒内に着脱可能に配置された筆記体を有する電子ペンにおいて、前記筆記体外側面を、弾性を有する部材にて挟着保持する挟着部材と、前記挟着部材を拡開させるコマ部を有するスライダを配置し、前記筆記体を脱離する機構に関するものである。
【背景技術】
【０００２】
従来技術として電子ペンの筆記体の保持方法は、軸筒に内設され、筆記体の後端より、円筒形樹脂製ホルダー内部に形成された複数のリブへ直接、筆記体を圧入することで保持されていた。
【特許文献１】特開２００４−５８５５８号。
【発明の開示】
【発明が解決しようとする課題】
【０００３】
電子ペンの軸筒内に、着脱可能に配置された筆記体を有する電子ペンにおいて、筆記を繰り返しているうち、筆記体内のインクを使い果した場合や、筆記体不良発生時時において、この筆記体を交換する機会がある。
この場合、従来方式での複数のリブを形成している円筒形樹脂製ホルダーへ筆記体を直接圧入している方法では、筆記体との抜き差し力の管理が難しく、現状ではかなり硬く複数のリブで挟字されており、筆記体を抜きにくい物になってしまっていた。
その理由として、樹脂製ホルダーへの筆記体の嵌合力は、筆記体の外形寸法と円筒形樹脂製ホルダー内に設けられているリブの内側の寸法が密接に関係しており、その両者のばらつきがそのまま抜き差し力に影響を与えていた。
つまり、いかにホルダー内に設けられているリブの内側の寸法を厳密に管理しても、筆記体の外形寸法がばらついてしまっては、やはり抜き差し力のばらつきは防げない。さらに、交換式として考慮しなければならないので、市販の筆記体の最小限の径（今回はS6039-JIS規格内の最小径を採用した。）でも安定して筆記体を保持するようこの値を基準に樹脂ホルダー内に設けられているリブの内側の寸法を決定せざるを得なかった。よって当然筆記体の最小径よりも大きい筆記体を装着した場合、ホルダー内に設けられているリブと筆記体の嵌合がきつくなりすぎ、筆記体交換時にとても抜きにくい物になってしまっていた。
つまり、この従来の円筒形樹脂製ホルダーに設けられた複数のリブに筆記体を挟持する方式では、円筒形樹脂製ホルダーと筆記体との抜き差し力の管理がとても難しいものであった。
【０００４】
また、構造上、従来の円筒形樹脂製ホルダー内への筆記体の圧入固定方式では、ホルダーと筆記体が一体構造となり、もし軸筒や円筒形樹脂製ホルダーが、成形の影響で、ゆがみ等が生じていた場合、構造物の各部にせり、こじり等が発生してしまい、円滑に前記筆記体が長手軸方向に摺動出来ない可能があった。
【課題を解決するための手段】
【０００５】
本発明は、座標入力装置の座標を検出する電子ペンまたは、座標入力装置に座標データを入力する電子ペンにおいて、該電子ペンを構成する軸筒内に筆記のための筆記体を有する電子ペンであって、前記筆記体外側面を弾性を有する挟着部材にて、挟着保持させることにより、筆記体の脱落を防止すると共に、前記挟着部材にて挟着保持し、軸筒の外側面に前記挟着部材を拡開させるコマ部を、前記軸筒内に設け、このコマ部に接続されているスライダを、軸筒側面に配置し、該スライダの移動により、筆記体の挟着を開放することにより、筆記体を脱離可能とした電子ペンを要旨とする。
【発明の効果】
【０００６】
本発明では、前記筆記体外側面に弾性を有する部材にて挟着保持させる事により、仮に筆記体の径のばらつきがあっても、S6039-JIS規格内であれば、交換時の抜き荷重が一定の範囲に収めることが出来、引き抜き荷重の管理が可能となった。又、前記挟着部材を拡開させるコマ部を有するスライダを軸筒側面に配置した事により、ワンタッチにて、筆記体を電子ペンより分離することが可能となり、従来より飛躍的に筆記体の交換作業が楽になった。
【発明を実施するための最良の形態】
【０００７】
軸筒内に着脱可能に配置された筆記体を有する電子ペンで、前記筆記体外側面に弾性を有する部材を挟着保持させる事により、筆記体の脱落を防止すると共に、前記挟着部材に対し、軸筒の外側面の一部にスライダを露出させ、前記挟着部材を拡開させる前記スライダに接続されたコマ部を軸筒側面に配置し、コマ部の移動により筆記体の挟着を開放することにより、筆記体を脱離可能とする。
【実施例】
【０００８】
本実施例を、図面を用いて説明する。
軸筒１の内方に、筆記をするためのインクを内蔵した筆記体３を、摺動自在に配置した中軸２に設けている。前記中軸２には、前記筆記体３の筆圧を検知してオン／オフする電気的装置をモジュール化したハウス６が設けられている。このハウス６には、筆記体３の後端に設けた筆記体クリップ４を保持し、ハウス６内に設けられている電気的装置（図示せず）に、筆圧を伝える機能を持たせたスイッチプッシャー５と、前記ハウス６に設けられている電気的装置を、固定可能な受け部９を形成すると共に、電気的装置の一部には筆記体を常にペン先側に付勢する弾発部材（図示せず）が設けられている。
非筆記時には、前記弾発部材の弾発力の作用により、スイッチプッシャー５とハウス６内に設けられている電気的装置となる感圧センサ１０の間には、センサ１０がONしない様に、空間50が設けられている。また筆記時には、筆記圧により筆記体３及び筆記体クリップ４は、前記ペン先側に筆記体３を付勢する弾発部の弾発力に抗してスイッチプッシャー５を押圧することで空間50が消滅して感圧センサ１０を押圧し、筆記状態を検知する事となっている。
本実施例では弾性を持つ部材を筆記体クリップ４と、その筆記体クリップ４が弾性の特性を生かし、ある程度の筆記体の径のばらつきにも抜き荷重の大幅な差異がなく、荷重の管理が可能となった。
【０００９】
本実施例では筆記体３の交換時、筆記体クリップ４から筆記体３を開放する為の筆記体スライダ７を装備している。よってこの筆記体クリップ４の上部傾斜部４a上を、スライダ７と一体に設けられているコマ部７aが、押し開く事により、筆記体クリップ４の弾性力から開放され、筆記体３を筆記体クリップ４より分離することが可能となる。
【００１０】
尚、今回の筆記体スライダ7の筆記体の開放時のスライド方向は筆記体側にスライドさせる方向となっているが、上部傾斜部４aの形状次第では、逆方向にも可能である。
又、図示しないがスライダを筆記体の摺動方向ではなく軸に対し鉛直方向に回転することによりこの筆記体クリップを開放させる方向にすることも可能である。
【図面の簡単な説明】
【００１１】
【図１】本発明の非筆記状態を示す全体断面図である。
【図２】実施例の断面拡大図。
【図３】実施例の断面拡大図。
【図４】実施例の斜視図。
【符号の説明】
【００１２】
１  外軸
２  中軸
３  筆記体
４  筆記体クリップ
５  スイッチプッシャー
６  ハウス
８  弾発部
９  受け部
１３  感圧センサ
１４  フレックス基盤
１５  配線基盤
１６  フレックス基盤
１７  スライダ
【図１】
0004730210.tif 000002
【図２】
0004730210.tif 000003
【図３】
0004730210.tif 000004
【図４】
0004730210.tif 000005